(57)【要約】【課題】  使用者に応じて高さ調整を行うことのできる枕を提供する。【解決手段】  くの字状に屈曲して、該屈曲部１２を介する第１平板１３と第２平板１４とを有し、前記第１平板１３が床面に沿って設置され、前記第１平板１３に対する前記第２平板１４の屈曲角度αが変更可能である枕本体１１と、前記第１平板１３と前記第２平板１４との間に配置されて、前記第２平板１４を前記屈曲角度αが異なる複数の位置で支持可能である支持手段１５、１６とを備えることを特徴とする。【選択図】  図１
2014200440.tif 000002
【特許請求の範囲】
【請求項１】
くの字状に屈曲して、該屈曲部を介する第１平板と第２平板とを有し、前記第１平板が床面に沿って設置され、前記第１平板に対する前記第２平板の屈曲角度が変更可能である枕本体と、
前記第１平板と前記第２平板との間に配置されて、前記第２平板を前記屈曲角度が異なる複数の位置で支持可能である支持手段とを備えることを特徴とする枕。
【請求項２】
前記支持手段は、前記第２平板の下面に上端が回転可能に取り付けられる支持部と、前記第１平板の上面に形成されて、前記支持部の下端を係止する係止部とを備え、
前記係止部は、前記第１平板に間隔をあけて複数形成され、
前記支持部を回転させて、前記支持部の下端を係止させる前記係止部を選択することで、前記第２平板を前記屈曲角度が異なる複数の位置で支持可能である請求項１に記載の枕。
【請求項３】
前記支持手段は、前記第１平板または前記第２平板のいずれか一方の外縁に一端が回転可能に取り付けられる支持部と、前記第１平板または前記第２平板のいずれか他方の外縁に形成されて、前記支持部の他端を係止する係止部とを備え、
前記係止部は、前記他方の平板に間隔をあけて複数形成され、
前記支持部を回転させて、前記支持部の他端を係止させる前記係止部を選択することで、前記第２平板を前記屈曲角度が異なる複数の位置で支持可能である請求項１に記載の枕。
【請求項４】
前記支持手段は、前記第１平板の上面に下端が回転可能に取り付けられる支持部と、前記第２平板の下面に形成されて、前記支持部の上端を係止する係止部とを備え、
前記係止部は、前記第２平板に間隔をあけて複数形成され、
前記支持部を回転させて、前記支持部の上端を係止させる前記係止部を選択することで、前記第２平板を前記屈曲角度が異なる複数の位置で支持可能である請求項１に記載の枕。
【請求項５】
前記支持手段は、
前記第１平板の上面の所定位置に形成される第１係止部と、前記第２平板の下面に形成される第２係止部と、下端が前記第１係止部に係止されるように前記第１平板の上面に載置されて、上端で前記第２平板を支持する支持部とを備え、
前記支持部は、高さの異なるものが複数準備され、
前記第１平板に載置する前記支持部を選択することで、前記第２平板を前記屈曲角度が異なる複数の位置で支持可能である請求項１に記載の枕。
【請求項６】
前記支持手段は、
前記第１平板の上面の所定位置に形成される第１係止部と、前記第２平板の下面に形成される第２係止部と、下端が前記第１係止部に係止されるように前記第１平板の上面に載置されて、上端で前記第２平板を支持する支持部とを備え、
前記第１係止部は、前記第１平板に間隔をあけて複数形成されて、
前記第２係止部は、前記第２平板に間隔をあけて複数形成されて、
一の前記第１係止部に前記支持部の下端が係止された状態では、一の前記第１係止部に対応する一の前記第２係止部に前記支持部の上端が係止され、
前記支持部の下端及び上端を係止させる前記第１係止部及び第２係止部の選択により、前記支持部の載置位置を変えることで、前記第２平板を前記屈曲角度が異なる複数の位置で支持可能である請求項１に記載の枕。
【発明の詳細な説明】
【技術分野】
【０００１】
本発明は、高さ調節が可能な枕に関するものである。
【背景技術】
【０００２】
近年では、例えば特許文献１に示すような低反発ウレタンフォームが充填された枕が急速に普及している。低反発ウレタンフォームは、荷重の付加によりゆっくりと変形するという性質を有しており、使用者の頭部を枕に載置すると頭部の自重に応じて枕の高さが変化する。
【０００３】
しかしながら、このような低反発枕は、低反発ウレタンフォームの素材や充填の仕方によっても枕の高さが異なっている。このため、使用者は適切な高さの枕を選択するために、様々な枕を試さなくてはならないという問題があった。
【先行技術文献】
【特許文献】
【０００４】
【特許文献１】特開２００６−３２５７４９号公報
【発明の概要】
【発明が解決しようとする課題】
【０００５】
本発明は、上記課題を解決するためになされたものであり、高さ調整ができる枕を提供する。
【課題を解決するための手段】
【０００６】
本発明に係る枕は、くの字状に屈曲して、該屈曲部を介する第１平板と第２平板とを有し、前記第１平板が床面に沿って設置され、前記第１平板に対する前記第２平板の屈曲角度が変更可能である枕本体と、
前記第１平板と前記第２平板との間に配置されて、前記第２平板を前記屈曲角度が異なる複数の位置で支持可能である支持手段とを備えている。
【０００７】
本発明の枕によると、使用者は第１平板に対する第２平板の屈曲角度を変更し、支持手段により第２平板を支持させる。第２平板には使用者の頭部が載置されるので、第２平板の屈曲角度を変更することはすなわち枕の高さを変更するということである。使用者は自分の好みに合わせて第２平板の屈曲角度を変更して、枕の高さ調節を行うことができる。
また、同じ枕を異なる使用者が用いる場合でも、各使用者に応じて枕の高さ調整を行うことができる。
【０００８】
前記支持手段は、前記第２平板の下面に上端が回転可能に取り付けられる支持部と、前記第１平板の上面に形成されて、前記支持部の下端を係止する係止部とを備え、
前記係止部は、前記第１平板の延伸方向に間隔をあけて複数形成され、
前記支持部を回転させて、前記支持部の下端を係止させる前記係止部を選択することで、前記第２平板を前記屈曲角度が異なる複数の位置で支持可能であってもよい。
【０００９】
前記構成によれば、使用者が第２平板を持ち上げて枕本体を所望の屈曲角度とすると、支持部は自重で回転し、支持部の下端は第１平板の上面と当接しながら移動して枕本体の屈曲角度に応じた係止部と係止する。使用者が第２平板を高く持ち上げて枕の高さを高くすると、屈曲部から遠い位置の係止部に支持部は係止され、使用者が第２平板を低く持ち上げて枕の高さを低くすると、屈曲部から近い位置の係止部に支持部は係止される。このように、使用者は第２平板を持ち上げる簡単な動作だけで、枕の高さ調整を行うことができる。
【００１０】
また、長さの異なる支持部を複数備えていてもよい。この構成により、使用者が頭部を第２平板に載置する際に第２平板にかかる力を各支持部に分散させて支持部で支持することができる。
【００１１】
前記支持手段は、前記第１平板または前記第２平板のいずれか一方の外縁に一端が回転可能に取り付けられる支持部と、前記第１平板または前記第２平板のいずれか他方の外縁に形成されて、前記支持部の他端を係止する係止部とを備え、
前記係止部は、前記他方の平板に間隔をあけて複数形成され、
前記支持部を回転させて、前記支持部の他端を係止させる前記係止部を選択することで、前記第２平板を前記屈曲角度が異なる複数の位置で支持可能であってもよい。
【００１２】
前記構成によれば、支持部を床板に対して垂直方向になるように係止部に係止することで、枕の高さは高くなり、支持部を床板に対して斜めになるように係止部に係止することで、枕の高さは低くなる。このように、使用者は好みに合わせて支持部の係止位置を決めることで、高さ調整を行うことができる。
【００１３】
前記支持手段は、前記第１平板の上面に下端が回転可能に取り付けられる支持部と、前記第２平板の下面に形成されて、前記支持部の上端を係止する係止部とを備え、
前記係止部は、前記第２平板の延伸方向に間隔をあけて複数形成され、
前記支持部を回転させて、前記支持部の上端を係止させる前記係止部を選択することで、前記第２平板を前記屈曲角度が異なる複数の位置で支持可能であってもよい。
【００１４】
前記構成によれば、使用者は第２平板の任意の係止部を選択し、支持部を回転させて支持部の上端を係止部に係止する。すなわち、複数形成された係止部のうち、屈曲部に近い係止部に支持部を係止させることで枕の高さは低くなり、屈曲部から遠い係止部に支持部を係止させることで、枕の高さは高くなる。このように、使用者は好みに合わせて支持部の係止位置を決めることで、高さ調整を行うことができる。
【００１５】
前記支持手段は、
前記第１平板の上面の所定位置に形成される第1係止部と、前記第２平板の下面に形成される第２係止部と、下端が前記第1係止部に係止されるように前記第1平板の上面に載置されて、上端で前記第２平板を支持する支持部とを備え、
前記支持部は、高さの異なるものが複数準備され、
前記第１平板に載置する前記支持部を選択することで、前記第２平板を前記屈曲角度が異なる複数の位置で支持可能であってもよい。
【００１６】
前記構成によれば、使用者は任意の高さの支持部を選択し、支持部を第１係止部及び第２係止部に係止させる。すると、使用者の頭部が載置される第２平板は、支持部の高さに応じて屈曲角度が異なる位置で支持部により支持される。このように、使用者は自分に適切な高さの支持部を選択することで、枕の高さ調整を行うことができる。
【００１７】
前記支持手段は、
前記第１平板の上面の所定位置に形成される第1係止部と、前記第２平板の下面に形成される第２係止部と、下端が前記第1係止部に係止されるように前記第1平板の上面に載置されて、上端で前記第２平板を支持する支持部とを備え、
前記第1係止部は、前記第１平板の延伸方向に間隔をあけて複数形成されて、
前記第２係止部は、前記第２平板の延伸方向に間隔をあけて複数形成されて、
一の前記第1係止部に前記支持部の下端が係止された状態では、一の前記第1係止部に対応する一の前記第２係止部に前記支持部の上端が係止され、
前記支持部の下端及び上端を係止させる前記第１係止部及び第２係止部の選択により、前記支持部の載置位置を変えることで、前記第２平板を前記屈曲角度が異なる複数の位置で支持可能であってもよい。
【００１８】
前記構成によれば、使用者は任意の第１係止部と、第１係止部に対応する第２係止部を選択し、支持部を該係止部に係止させる。すると、第２平板は係止部の位置に応じて屈曲角度が異なる位置で支持部により支持される。すなわち、支持部の高さは同じであるため、屈曲部に近い係止部に支持部を係止させることで枕の高さは高くなり、屈曲部から遠い係止部に支持部を係止させることで、枕の高さは低くなる。このように、使用者は好みに合わせて支持部を係止する第１係止部の第２係止部の位置を選択することで、自分に適切な高さとなるよう枕の高さ調整を行うことができる。
【００１９】
前記支持手段の支持により、前記枕本体の屈曲角度が０度以上１６度以下に設定されることが好ましい。
【００２０】
前記構成により、使用者は自分に適切な枕の高さを選択することができる。
また、就寝時の理想的な頚椎角度は、体の中心軸に対して体の前方向に１５度傾いた角度と言われているため、使用者は理想的な頚椎角度となるよう、枕の屈曲角度を略１５度に設定することができる。
【発明の効果】
【００２１】
本発明に係る枕によれば、使用者の好みに合わせて枕の高さ調整を行うことができる。
【図面の簡単な説明】
【００２２】
【図１】本発明の枕の第１実施形態を示す側面図である。
【図２】第１実施形態の屈曲角度が０度の側面図である。
【図３】第１実施形態を示す斜視図である。
【図４】第２実施形態を示す側面図である。
【図５】第２実施形態の屈曲角度が０度の側面図である。
【図６】第２実施形態の変形例を示す側面図である。
【図７】第３実施形態を示す側面図である。
【図８】枕の高さ調整方法を説明する側面図である。
【図９】第４実施形態を示す側面図である。
【図１０】第４実施形態を示す斜視図である。
【図１１】枕の高さ調整方法の説明図である。
【図１２】第４実施形態の第１変形例を示す斜視図である。
【図１３】第４実施形態の第２変形例を示す斜視図である。
【図１４】第５実施形態を示す側面図である。
【図１５】第６実施形態を示す側面図である。
【発明を実施するための形態】
【００２３】
本発明に係る枕の第１実施形態について、図１〜図３を参照して説明する。
枕１０の枕本体１１は、断面くの字状に屈曲しており、該屈曲部１２を介して第１平板１３と第２平板１４とを有し、第１平板１３に対する第２平板１４の屈曲角度αが変更可能である。第１平板１３および第２平板１４は略矩形状を呈しており、第１平板１３は床面に沿って設置され、第２平板１４には頭部が載置される。第１平板１３と第２平板１４との間には支持手段として支持部１５と係止部１６とが配置される。
【００２４】
第２平板１４の下面における屈曲部１２と反対側の端には、ブラケット１４１が設けられる。ブラケット１４１にピン１４２を介して支持部１５Ａ〜１５Ｃの上端が回転可能に取り付けられている。支持部１５Ａ〜１５Ｃは、下端が係止部１６に係止されることで、第２平板１４を支持している。
【００２５】
支持部１５Ａ〜１５Ｃは、角棒或いは板材からなる。支持部１５Ａ〜１５Ｃの長さは、支持部１５Ａ、支持部１５Ｂ、支持部１５Ｃの順に長い（支持部１５Ａの長さ＜支持部１５Ｂの長さ＜支持部１５Ｃの長さ）。支持部１５Ａ〜１５Ｃの下端には、断面円弧状のアール１５ａが設けられており、係止部１６と係止しやすくしている。
支持部１５Ａ〜１５Ｃの組は、図３に示すように、第１平板１３および第２平板１４の長手方向（図１の奥行方向）の両端にそれぞれ設けられており、各組において１５Ａ→１５Ｂ→１５Ｃの順に並んで設けられる。なお、第１平板１３および第２平板１４の長手方向（図１の奥行方向）の中央部に、支持部１５Ａ〜１５Ｃが一組設けられてもよい。
【００２６】
係止部１６は、第１平板１３の延伸方向に所定の間隔をあけて形成されており、本実施形態の枕１０では、８つの係止部１６が等間隔に形成されている。この８つの係止部１６の組は、図３に示すように、第１平板１３の長手方向両端にそれぞれ設けられている。なお、第１平板１３および第２平板１４の長手方向（図１の奥行方向）の中央部に支持部１５Ａ〜１５Ｃが一組設けられている場合には、支持部１５に対応するように係止部１６を第１平板１３の長手方向中央部に設けてもよい。
各係止部１６は、第１平板１３の上面に設けられた凹状の溝であり、各係止部１６の溝は、中央の底面１６ａと、屈曲部１２側の曲面１６ｂと、屈曲部１２と反対側の傾斜面１６ｃとからなる。
曲面１６ｂは、屈曲部１２側に凸となる断面円弧状を呈する。傾斜面１６ｃは、底面１６ａに対して、屈曲部１２と反対側へ略１３５度に傾斜する。この傾斜面１６ｃにより、係止部１６の開口は、屈曲部１２と反対側が上になるほど広がっている。
【００２７】
枕１０は、支持部１５Ａ〜１５Ｃの係止部１６への係止位置を変えることで屈曲角度αを変更でき、屈曲角度αを０度以上１６度以下に調整できるよう、係止部１６の形成位置と支持部１５Ａ〜１５Ｃの長さが調整されている。
また、３本の支持部１５Ａ〜１５Ｃをそれぞれ係止部１６に係止させた場合には、３本の支持部１５Ａ〜１５Ｃで第２平板１４が支持されるので、使用者が頭部を載置した時に、第２平板１４にかかる力は支持部１５Ａ〜１５Ｃで分散して支持される。
【００２８】
図１は、支持部１５Ａ，１５Ｂ，１５Ｃが、それぞれ係止部１６Ａ，１６Ｂ，１６Ｃに係止される場合を示す。この場合、支持部１５Ａは、床面に対してほぼ垂直になり、支持部１５Ａの下端のアール１５ａは係止部の溝の底面１６ａと当接して係止される。
支持部１５Ｂは、床面に対して斜めに傾き、傾斜面１６ｃに支持部１５Ｂの側面が当接すると共に底面１６ａに支持部１５Ｂの下端のアール１５ａが当接してしっかりと係止される。
支持部１５Ｃは、床面に対して支持部１５Ｂよりも小さな角度で斜めに傾き（水平に近い方向に傾き）、曲面１６ｂに支持部１５Ｃの下端のアール１５ａが当接することで支持部１５Ｃは係止部１５Ｃにしっかりと係止される。
【００２９】
枕１０の軽量化を図るために、枕本体１１、支持部１５、係止部１６、及びブランケット１３１は、プラスチックで製造している。
第２平板１４の上面には、麻、綿、カシミヤ、羽根布団などで形成された略２ｃｍの厚みの枕カバー１７が取り付けられており、使用者が頭部に圧迫感や痛みを感じるのを防いでいる。
【００３０】
枕１０は、以下の操作で、屈曲角度αの調整が行われる。
初期状態では、図２に示すように、支持部１５は係止部１６に係止されておらず、第２平板１４の屈曲角度は略０度である。このとき、支持部１５Ａ〜１５Ｃは床面と平行に第１平板１３上に位置している。
【００３１】
次に、使用者が第２平板１４を持ち上げて第２平板１４の屈曲角度αを変更すると、支持部１５Ａ〜１５Ｃは自重により回転する。このとき、支持部１５Ａ〜１５Ｃの下端は第１平板１３の上面に当接し、係止部１６の溝に係止された状態と係止されていない状態を繰り返しながら屈曲部１２側から屈曲部１２と反対側に移動する（図２の左側から右側に移動する）。枕本体１１が使用者の所望の屈曲角度αとなったときに、支持部１５Ａ〜１５Ｃが係止部に係止されている場合には、これ以降の操作を行う必要はなく、支持部１５Ａ〜１５Ｃの支持により屈曲角度αが維持される。係止部に係止されていない支持部１５がある場合には、該支持部１５から最も近い位置の係止部１６に、支持部１５を係止させるようにする。
このように、使用者が第２平板１４を持ち上げ所望の屈曲角度αとすると、支持部１５Ａ〜１５Ｃは枕本体１１の屈曲角度αに応じた係止部に係止される。支持部１５Ａ〜１５Ｃによって第２平板１４が使用者の所望の屈曲角度αに支持されることで、枕の高さ調整が行われる。
【００３２】
使用者が第２平板１４を持ち上げると、支持部１５Ａ〜１５Ｃの下端は第１平板１３の上面に当接し、係止部１６（溝）に係止された状態と係止されていない状態を繰り返しながら移動するが、係止部１６の傾斜面１６ｃは支持部１６の移動方向に設けられているため、係止部１６に係止された支持部１５のアール１５ａは傾斜面１６をすべりながら移動する。この構成により、支持部１５は係止部１６に係止された状態から係止部１６に係止されていない状態への移り変わりが容易となり、次の係止部にも簡単に係止される。
【００３３】
なお、使用者は、第２平板１４を持ち上げ、図１に示すように最も短い支持部１５Ａを、係止部１６のうち屈曲部から最も離れた位置にある係止部１６Ａに係止させることで、屈曲角度αを１６度にすることができる。なお、支持部１６Ｂ、１６Ｃを係止部１６Ａと係止させる場合には、屈曲角度αは、１６度よりも大きくなる。
また、使用者は、第２平板１４を持ち上げ、最も長い支持部１６Ｃを、屈曲部に最も近い位置にある係止部１６Ｄに係止させることで、屈曲角度αを、支持部１６の係止で調整し得る最も小さな角度にすることができる。
【００３４】
本発明に係る枕１０によれば、使用者は第１平板１３に対する第２平板１４の屈曲角度を自身の好みに合わせて変更し、支持部１５により第２平板１４を支持させる。第２平板１４には使用者の頭部が載置されるので、支持部１５を係止部１６に係止するだけの簡単な構成で、使用者は自分の好みに合わせて枕の高さ調節を行うことができる。
【００３５】
また使用者が第２平板１４を持ち上げて枕本体１１を所望の屈曲角度αとすると、支持部１５は自重で回転し、支持部１５の下端は第１平板１３の上面と当接しながら移動して、枕本体１１の屈曲角度αに応じた係止部１６と係止する。前記構成によれば、使用者は第２平板１４を持ち上げる簡単な動作だけで、枕の高さ調整を行うことができる。
【００３６】
また、長さの異なる支持部１５を複数備えているため、使用者が頭部を第２平板１４に載置する際に第２平板１４にかかる力を各支持部に分散させることができる。
【００３７】
さらに、支持部１５が、第２平板１４の屈曲部１２と反対側の端に取り付けられることで、使用者が第２平板１４に頭部を載置した場合、第２平板１４に撓みが生じ、この撓みによる弾性により使用者の頭部にかかる負担を軽減することができる。
【００３８】
以上、本発明の第１実施形態は、その趣旨を逸脱しない限りにおいて、種々の変更が可能である。
例えば、枕カバー１７は全体を覆っていてもよい。また、枕本体１１と支持手段は金属や木材で製造されていてもよい。
さらに、支持部１５は第１平板１３とブラケット１３１とピン１３２ではなく、蝶番で回転可能としてもよく、その他の回転部材で回転可能としてもよい。また、係止部１６は、第１平板１３の上面から上方に突設する突起であってもよい。係止部１６の数や間隔は、本実施形態に限定されるものではなく、任意に設定され得る。
また、本実施形態では支持部を３本設けているが、本実施形態に限定されるものではなく、任意に設定され得る。支持部は丸棒でもよい。
また、係止部１６の溝の形状は本実施形態に限定されるものではなく、支持部１５が係止されるものであればよい。
【００３９】
さらに、本実施形態では係止部１６を第1平板１３の延伸方向に形成されているが、第1平板１３の長手方向（第１平板１３の延伸方向に直交する方向）に複数の係止部１６を形成してもよい。このとき、支持部１５は第２平板１４の長手方向に回転可能に設けられる。
【００４０】
本発明に係る枕の第２実施形態について、図４、５を参照して説明する。なお、以下の実施形態では、第1実施形態と同様の構成については説明を省略する。
枕１０の枕本体１１は、屈曲部１２を介して第１平板１３と第２平板１４とを有し、第１平板１３は床面に沿って設置され、第２平板１４には頭部が載置される。第１平板１３と第２平板１４との間には支持手段として支持部１５と係止部１６とが配置される。
【００４１】
支持部１５は、支持板１５１および係合板１５２からなる。支持板１５１は平板からなり、支持板１５１の上端が第２平板１４の下面における屈曲部１２と反対側の端に、回転可能に取り付けられている。支持板１５１の下端にはピン１５４を介して平板からなる係合板１５２が回転可能に取り付けられている。なお、支持板１５１および係合板１５２は板に限定されず、棒状であってもよい。
【００４２】
係合板１５２の第１平板１３と対向する面には、歯１５３が設けられている。歯１５３は、中央の底面１５３ａと、屈曲部１２側の傾斜面１５３ｂと、屈曲部１２と反対側の傾斜面１５３ｃとからなり、第１平板１３の上面に設けられた凹状の溝（後述）である係止部１６に係合する形状となっている。歯１５３は複数設けられてもよく、本実施形態では歯１５３を３つとしている。
【００４３】
係止部１６は、第１平板１３の延伸方向に所定の間隔をあけて形成されている。
各係止部１６は、第１平板１３の上面に設けられた凹状の溝である。各係止部１６の溝は、中央の底面１６ａと、屈曲部１２側の傾斜面１６ｂと、屈曲部１２と反対側の傾斜面１６ｃとからなる。底面１６ａは床面と平行であり、屈曲部１２側の傾斜面１６ｂは床面１６ａに対して鋭角に傾斜しており、傾斜角βは略８５度である。屈曲部１２と反対側の傾斜面１６ｃは床面１６ａに対して鈍角に傾斜しており、傾斜角γは略１３５度である。なお、傾斜面１６ｂ、１６ｃの傾斜角は上記の角度に限定されるものではない。
各係止部１６は支持部１５の歯１５３と係合する形状となっている。
なお、支持部１５および支持部１６は、第１平板１３および第２平板１４の長手方向（図４の奥行方向）の両端にそれぞれ設けられている。
【００４４】
枕１０は、支持部１５の係止部１６への係止位置を変えることで屈曲角度αを変更でき、屈曲角度αを０度以上１６度以下に調整できるよう、係止部１６の形成位置と支持部１５の長さが調整されている。
【００４５】
枕１０は、以下の操作で、屈曲角度αの調整が行われる。
初期状態では、図５に示すように、第２平板１４の屈曲角度は略０度である。このとき、支持部１５の係合板１５２は屈曲部１２に最も近い係止部１６に係止されている。
【００４６】
次に、使用者が第２平板１４を持ち上げて第２平板１４の屈曲角度αを変更すると、支持部１５の支持板１５１は自重により第１平板１３に対してピン１４２を軸に回転し、さらに、ピン１５４を軸に係合板１５２に対しても回転して係合板１５２を引っ張る。係合板１５２は支持板１５１に引っ張られながら屈曲部１２側から屈曲部１２と反対側に移動する（図４の左側から右側に移動する）。このとき、支持部１５の係合板１５２の歯１５３は係止部１６の溝に係合した状態と係合していない状態を繰り返しながら第１平板１３上を移動する。
このように、使用者が第２平板１４を持ち上げ所望の屈曲角度αとすると、支持部１５は枕本体１１の屈曲角度αに応じた係止部に係止される。支持部１５によって第２平板１４が使用者の所望の屈曲角度αに支持されることで、枕の高さ調整が行われる。
【００４７】
係止部１６の傾斜面１６ｃは支持部１６の移動方向に傾斜しているため、使用者が第２平板１４を持ち上げたとき、支持部の係合板１５２の歯１５３の傾斜面１５３ｃは、係止部１６の傾斜面１６ｃをすべりながら移動する。この構成により、支持部１５は係止部１６に係止された状態から係止部１６に係止されていない状態への移り変わりが容易となり、次の係止部にも簡単に係止される。
一方で、係止部１６の屈曲部側の傾斜面１６ｂおよび支持部の係合板１５２の歯１５３の屈曲部側の傾斜面１５３ｂも支持部１６の移動方向に傾斜しているため、使用者の頭部が第２平板１４に載置されて支持部に移動方向と反対の力が加わっても支持部と係止部の係止が外れることなく、支持部がしっかりと係止部に係止される。
【００４８】
第２実施形態の枕１０においても、使用者は第２平板１４を持ち上げる簡単な動作だけで、枕の高さ調整を行うことができる。
【００４９】
第２実施形態の枕は、図６のように変形し得る。
図６は枕の側面図であり、第1平板１３及び第２平板１４の長手方向を図６の左右方向とした図である。第1平板１３の長手方向（第１平板１３の延伸方向に直交する方向）に複数の係止部１６を形成しており、支持部１５は第２平板１４の長手方向に回転可能に設けられる。
本変形例であっても、使用者は第２平板１４を持ち上げる簡単な動作だけで、枕の高さ調整を行うことができる。
【００５０】
本願発明の枕の第３実施形態を図７，図８に示す。
支持部１５は角棒または平板からなり、支持部１５の上端が、ピン１４４を介して第２平板１４の屈曲部１２と反対側の側面（第２平板１４の長手方向の側面）に回転可能に取り付けられている。本実施形態では２本の支持部が第１平板１３および第２平板１４の長手方向の両端にそれぞれ設けられている。支持部１５の下端には係止部１６と係止するための穴１５ｂが設けられている。
【００５１】
係止部１６は、第１平板１３の屈曲部１２と反対側の外縁から突出する棒または突起であり、第１平板１３の屈曲部１２と反対側の外縁に第１平板１３の長手方向に所定の間隔をあけて形成されている。
支持部１５の下端の穴１５ｂに係止部１６を通すことにより、支持部１５を係止部１６に係止させる。
枕１０は、支持部１５の下端を係止部１６へ係止させる際の係止位置を変えることで屈曲角度αを変更でき、屈曲角度αを０度以上１６度以下に調整できるよう、係止部１６の形成位置と支持部１５の長さが調整されている。
図７に示すように、支持部１５の長さ方向を床面に対して垂直方向として係止部１６に係止させることで、枕１０の高さは最も高くなり、図８に示すように支持部１５を垂直方向に対して傾斜させて係止部１６に係止させることで、枕の高さは低くなる。
【００５２】
このように、使用者は好みに合わせて支持部１５の係止位置を決めることで、高さ調整を行うことができる。
また、支持部１５を係止部１６に係止するだけの簡単な構成で、使用者は、屈曲角度αを所望の角度に調整できる。
さらに、支持部１５および係止部１６が枕の外縁に設けられているので、枕の内部（第１平板と第２平板の間）に支持部１５および係止部１６を設ける場合に比べて、使用者は支持部１５の係止部１６への係止位置を簡単に変更することができる。
【００５３】
なお、支持部１５および係止部１６は第２平板１４及び第１平板１３の長手方向に対して垂直方向の外縁（側面）に設けてもよい。
また、支持部１５を第１平板１３に設け、係止部１６を第２平板１４に形成してもよい。
さらに、係止部１６は第１平板１３に設けた穴とピンであってもよい。支持部１５の穴１５ｂと係止部１６の穴にピンを通すことにより、支持部１５の下端は支持部１６に係止される。
【００５４】
本発明に係る枕の第４実施形態について、図９〜図１１を参照して説明する。
枕１０の枕本体１１は、断面くの字状に屈曲しており、該屈曲部１２を介して第１平板１３と第２平板１４とを有している。第１平板１３は床面に沿って設置され、第２平板１４には頭部が載置される。第１平板１３と第２平板１４との間には支持手段として支持部１５と係止部１６とが配置される。
【００５５】
第１平板１３の上面における屈曲部１２と反対側の端には、ブラケット１３１が設けられる。
支持部１５は、第１平板１３および第２平板１４の長辺と略同じ長さの平板である。支持部１５の下端は、ピン１３２を介してブラケット１３１に回転可能に取り付けられている。
係止部１６は、第２平板１４の下面（第１平板１３と対向する面）から下方に突設する棒状の突起である。支持部１５は、上端が係止部１６に係止されて、第２平板１４を支持する。支持部１５の上端には、断面円弧状のアール１５ａが設けられており、係止部１６と係止しやすくしている。
【００５６】
係止部１６は、第２平板１４の延伸方向に所定の間隔をあけて形成される。本実施形態の枕１０では、８つの係止部１６が等間隔に形成されており、枕１０は、支持部１５を回転させて、支持部１５の上端を係止させる係止部１６を選択することで、第２平板１４を屈曲角度αが異なる複数の位置で支持可能である。また枕１０では、上述の操作により屈曲角度αを０度以上１６度以下に調整できるよう、係止部１６の形成位置が調節されている。
枕１０の軽量化を図るために、枕本体１１、支持部１５、係止部１６、及びブランケット１３１は、プラスチックで製造している。
【００５７】
第２平板１４の上面には、麻、綿、カシミヤ、羽根布団などで形成された略２ｃｍの厚みの枕カバー１７が取り付けられており、使用者が頭部に圧迫感や痛みを感じるのを防いでいる。
【００５８】
枕１０は、以下の操作で、屈曲角度αの調整が行われる。
初期状態では、例えば図１１（ａ）に示すように、支持部１５は係止部１６に係止されておらず、第２平板１４の屈曲角度は略０度である。
ついで図１１（ｂ）に示すように、使用者は第２平板１４を持ち上げて第２平板１４の屈曲角度αを変更し、支持部１５を回転させる。
【００５９】
ついで図１１（ｃ）に示すように、使用者は支持部１５を係止部１６のいずれかに係止させる。これにより、屈曲角度αは、使用者が希望する角度に調整される。本実施の形態では、８つの係止部１６があるので、屈曲角度αを８段階で変更できる。例えば、第２平板１４の先端（屈曲部１２の反対側の端）に最も近い係止部１６に支持部１５が係止された場合、屈曲角度αは１６度に調整される。なお、支持部１５は係止部１６に係止されなくてもよく、この場合、屈曲角度αは０度になる。
【００６０】
本発明に係る枕１０によれば、使用者は第１平板１３に対する第２平板１４の屈曲角度を自身の好みに合わせて変更し、支持部１５により第２平板１４を支持させる。第２平板１４には使用者の頭部が載置されるので、使用者は自分の好みに合わせて枕の高さ調節を行うことができる。
すなわち、使用者は第２平板１４の任意の係止部１６を選択し、支持部１５を回転させて支持部１５の上端を係止部１６に係止する。複数形成された係止部１６のうち、屈曲部１２に近い係止部１６に支持部１５を係止させることで枕の高さは低くなり、屈曲部１２から遠い係止部１６に支持部１５を係止させることで、枕の高さは高くなる。このように、使用者は好みに合わせて支持部１５の係止位置を決めることで、高さ調整を行うことができる。
また、支持部１５を係止部１６に係止するだけの簡単な構成で、使用者は、屈曲角度αを所望の角度に調整できる。
【００６１】
以上、本発明の第４実施形態は、その趣旨を逸脱しない限りにおいて、種々の変更が可能である。
例えば、枕カバー１７は全体を覆っていてもよい。また、枕本体１１と支持手段は金属や木材で製造されていてもよい。
さらに、支持部１５は第１平板１３とブラケット１３１とピン１３２ではなく、蝶番で回転可能としてもよい。また、係止部１６は、突起ではなく、第２平板１４に設けられる凹状の溝であってもよい。係止部１６の数や間隔は、本実施形態に限定されるものではなく、任意に設定され得る。
また、第２平板１４の長手方向（第２平板１４の延伸方向に直交する方向）に複数の係止部１６を形成し、支持部１５は第１平板１３の長手方向に回転可能に設けられてもよい。
【００６２】
また、第４実施形態の枕１０は、図１２に示すように変形され得る。
図１２に示す例では、２枚の平板２５、２５により支持部が構成される。支持部２５、２５は、第１平板１３の長手方向に間隔をあけて配置されるものであり、支持部２５、２５の下端は、それぞれブラケット１３１及びピンを介して第１平板１３の一端及び他端に回転可能に取り付けられ、支持部２５、２５の上端は、第２平板１４の一端及び他端を支持する。
前記構成によれば、支持部１５を第１平板１３および第２平板１４の長手方向の中央位置に設けていないので、支持部１５を軽量化することができる。
なお、第２平板１４の長手方向（第２平板１４の延伸方向に直交する方向）に複数の係止部１６を形成し、支持部１５は第１平板１３の一端及び他端に、第１平板１３の長手方向に回転可能に設けられてもよい。
【００６３】
また、第４実施形態の枕１０は、図１３に示すようにも変形され得る。
図１３に示す例では、支持部３５が一本の角状の棒から構成される。支持部３５の下端は、ブラケット１３１及びピン１３２を介して第１平板１３の中央部に回転可能に取り付けられ、支持部３５の上端は、第２平板１４の中央部を支持する。
前記構成によれば、簡単な構成で枕１０の高さ調整を行うことができる。
なお、第２平板１４の長手方向（第２平板１４の延伸方向に直交する方向）に複数の係止部１６を形成し、支持部１５は第１平板１３の一端及び他端に第１平板１３の長手方向に回転可能に設けられてもよい
【００６４】
次に、図１４を参照して、本発明の第５実施形態を説明する。
第５実施形態では、支持手段は、第１係止部２６と、第２係止部３６と、支持部４５とを備える。
第１係止部２６は、第１平板１３の上面から延び出る断面コの字状の突起である。第１平板１３の上面の先端（屈曲部１２と反対側の端）に形成される。
第２係止部３６は、第２平板１４の下面から延び出る断面コの字状の突起であり、第２平板の下面の先端位置（屈曲部１２と反対側の端）に形成される。
【００６５】
支持部４５は、平板からなる。支持部４５は、下端が第1係止部２６のコの字の凹みに係止されるように第1平板１３の上面に載置されて、上端が第２係止部３６のコの字の凹みに係止されて、上端で第２平板１４を支持する。支持部４５の上端と下端には、断面円弧状のアール４５ａを設けて係止部に係止しやすくしている。
支持部４５は、高さの異なるものが複数準備される。本実施形態では、４枚の支持部４５Ａ〜４５Ｄが準備されており、支持部４５Ａ〜４５Ｄの中から、第１平板１３に載置する支持部４５を選択することで、第２平板１４を屈曲角度αが異なる複数の位置で支持可能であり、各位置の屈曲角度αは支持部４５の高さに応じた角度になる。
【００６６】
前記構成によれば、使用者が任意の高さの支持部４５を選択し、支持部４５を第１係止部２６及び第２係止部３６に係止させると、第２平板１４は支持部４５の高さに応じて屈曲角度が異なる位置で支持部４５により支持される。このように、使用者は自分に適切な高さの支持部４５を選択することで、枕の高さ調整を行うことができる。
なお本実施形態では、使用しない支持部４５Ｂ〜４５Ｄは枕本体１１の内部に収納され得る。
また、支持部４５の枚数は本実施形態に限定されず、任意に設定され得る。
【００６７】
次に、図１５を参照して、本発明の第６実施形態を説明する。
第６実施形態では、支持手段は、第１係止部４６と、第２係止部５６と、支持部１５とを備える。
【００６８】
第１係止部４６は、第１平板１３の上面に形成される断面コの字状の突起である。
支持部１５は、平板からなる。支持部１５は、下端が第１係止部４６のコの字の凹みに係止されるように第１平板１３の上面に載置されて、上端で第２平板１４を支持する。
第２係止部５６は、第２平板１４の下面に形成される断面コの字状の突起である。第２係止部５６のコの字の凹みに、支持部１５の上端が係止される。
第1係止部４６は、第１平板１３の延伸方向に間隔をあけて複数形成される。第２係止部５６は、第２平板１４の延伸方向に間隔をあけて複数形成される。第２係止部５６は、第1係止部４６毎に設けられるものであり、一の第1係止部４６に支持部１５の下端が係止された状態では、一の第1係止部４６に対応する一の第２係止部５６に支持部１５の上端が係止される。本実施形態では４つの第1係止部４６Ａ〜４６Ｄ、４つの第２係止部５６Ａ〜５６Ｄを備えている。
【００６９】
図１５（ａ）に示すように、支持部１５を屈曲部１２側の第１係止部４６Ａおよび第２係止部５６Ａに係止した場合には、第１平板１３に対する第２平板１４の屈曲角度αは大きくなる。図１５（ｂ）に示すように、支持部１５を屈曲部１２から遠い第１係止部４６Ｄおよび第２係止部５６Ｄに係止すると、第１平板１３に対する第２平板１４の屈曲角度αは小さくなる。このように、支持部１５の係止位置に応じて屈曲角度αを変化させ、第２平板１４を屈曲角度αが異なる複数の位置で支持することで、枕１０の高さ調整を行う。
【００７０】
前記構成によれば、使用者が任意の第１係止部４６と、第１係止部４６に対応する第２係止部５６を選択し、支持部１５を第１係止部４６、第２係止部５６に係止させると、第２平板１４は第１係止部４６、第２係止部５６の位置に応じて屈曲角度が異なる位置で支持部１５により支持される、すなわち、支持部１５の高さは同じであるため、屈曲部１２に近い第１係止部４６、第２係止部５６に支持部１５を係止させることで枕の高さは高くなり、屈曲部１２から遠い第１係止部４６、第２係止部５６に支持部１５を係止させることで、枕の高さは低くなる。このように、使用者は好みに合わせて支持部１５を係止する第１係止部４６、第２係止部５６の位置を選択することで、自分に適切な高さとなるよう枕の高さ調整を行うことができる。
【符号の説明】
【００７１】
１０  枕
１１  枕本体
１２  屈曲部
１３  第１平板
１４  第２平板
１５、２５、３５、４５  支持部
１６  係止部
２６、４６  第１係止部
３５、５６  第２係止部
１７  枕カバー
α  屈曲角度
【図１】
2014200440.tif 000003
【図２】
2014200440.tif 000004
【図３】
2014200440.tif 000005
【図４】
2014200440.tif 000006
【図５】
2014200440.tif 000007
【図６】
2014200440.tif 000008
【図７】
2014200440.tif 000009
【図８】
2014200440.tif 000010
【図９】
2014200440.tif 000011
【図１０】
2014200440.tif 000012
【図１１】
2014200440.tif 000013
【図１２】
2014200440.tif 000014
【図１３】
2014200440.tif 000015
【図１４】
2014200440.tif 000016
【図１５】
2014200440.tif 000017